(57)【要約】【課題】ユーザーの操作によらず、電子番組表にユーザーの放送局に対する嗜好が反映された並び順で番組を表示させることができるデジタル放送受信装置およびその電子番組表を表示する方法を提供することを目的とする。【解決手段】チャンネルを選択する際にそのチャンネルに対する選局回数を保存し、電子番組表を表示するときにその情報を利用して、放送局の並び順を入れ替えて表示する。【選択図】図１
2007184813.tif 000002
【特許請求の範囲】
【請求項１】
放送番組のデータと共に提供される各番組に関する番組情報を取得し、編集して電子番組表を表示する機能を有するデジタル放送受信装置であって、
番組情報を取得する番組情報取得手段と、
取得した番組情報に基づいて電子番組表を表示する表示手段と
ユーザーが選局した選局回数をチャンネルごとに保存する選局回数管理手段と、
前記選局回数管理手段に保存されたチャンネルごとの選局回数データに基づいて、電子番組表における放送局の並び順を決定する制御情報を出力する制御手段と、
前記番組情報取得手段からの番組情報および前記制御手段からの制御情報に基づいて、電子番組表における各番組を、ユーザーの選局回数が多い放送局ごとの並び順で表示するように前記表示手段を制御する表示制御手段と、
を有することを特徴とするデジタル放送受信装置。
【請求項２】
請求項１記載のデジタル放送受信装置において、放送局に複数のチャンネルがある場合は、電子番組表における各番組を、放送局単位でユーザーの選局回数が多いチャンネルの並び順で表示することを特徴とするデジタル放送受信装置。
【請求項３】
請求項１又２記載のデジタル放送受信装置において、前記選局回数管理手段は、選局されてから次の選局までの時間を計測するタイマー手段を有しており、選局後の視聴時間の長さが所定以上になった場合にのみ選局回数を加算することを特徴とするデジタル放送受信装置。
【請求項４】
請求項１から３のいずれかに記載のデジタル放送受信装置において、前記制御手段は、前回表示したときの選局回数と今回表示したときの選曲回数とを比較する比較手段を有しており、該比較手段による比較の結果、両者の回数に一定の差がない場合、前記並び順は変更させないことを特徴とするデジタル放送受信装置。
【請求項５】
放送番組のデータと共に提供される各番組に関する番組情報を取得し、編集して電子番組表を表示する機能を有するデジタル放送受信装置における電子番組表の表示方法であって、
ユーザーが選局した選局回数をチャンネルごとに保存する第１のステップと、
前記保存されたチャンネルごとの選局回数データに基づいて、電子番組表における放送局の並び順を決定する第２のステップと、
前記番組情報および前記第２のステップで決定された情報に基づいて、電子番組表における番組を、ユーザーの選局回数が多い放送局ごとの並び順で表示する第３のステップと、
を有することを特徴とするデジタル放送受信装置における電子番組表の表示方法。
【請求項６】
請求項５記載の電子番組表の表示方法において、放送局に複数のチャンネルがある場合、電子番組表における各番組を、放送局単位でユーザーの選局回数が多いチャンネルの並び順で表示することを特徴とするデジタル放送受信装置における電子番組表の表示方法。
【請求項７】
請求項５又は６記載の電子番組表の表示方法において、ユーザーが選局した選局回数は、選局後の視聴時間の長さが所定以上になった場合にのみ加算することを特徴とする電子番組表の表示方法。
【請求項８】
請求項５から７のいずれかに記載の電子番組表の表示方法において、前回表示したときの選局回数と今回表示したときの選局回数とに一定の差がない場合、前記並び順は変更させないことを特徴とする電子番組表の表示方法。
【発明の詳細な説明】
【技術分野】
【０００１】
本発明は放送番組のデータと共に提供される各番組の番組情報を取得し、電子番組表を表示する機能を有するデジタル放送受信装置およびその電子番組表を表示する方法に関する。
【背景技術】
【０００２】
従来、デジタル放送における電子番組表では、例えば、特許文献１に見られるような、ある時間帯のなかで、ユーザーが好むと思われる番組を表示し、電子番組表の並びを変化させるという、ユーザーの嗜好に合わせたものや、特許文献２のように、電子番組表の並びをユーザーが決定することができるようにし、ユーザーの好む放送局の順番を自由に選択することができるようにしたものがある。
【特許文献１】特開２０００−２１７０４８号公報
【非特許文献２】特開２００２−１８５８８４号公報
【発明の開示】
【発明が解決しようとする課題】
【０００３】
しかしながら、特許文献１の発明の場合、時間帯が複数にわたる、一覧性のある電子番組表である場合には、時間帯ごとにチャンネルの並びが変化することになり、一覧性が低下する。また、番組の表示の候補を表示するだけのインタフェースを有するものの場合は上記の表示形態においても、チャンネル単位の並びが時間帯ごとに変化するため、ユーザーの利便性が低下するという問題を有している。さらに、それぞれ好みの異なる個々のユーザーには対応することができないという問題もあった。
【０００４】
また、許文献２の発明の場合、ユーザーが自由にチャンネルの並び方を変化させられる場合においても、ユーザーの嗜好にリアルタイムに追従することができず、ユーザーの好みが変わった場合には、ユーザー自身がチャンネルの並び方を再度変更しなければならない。
【０００５】
本発明は、上述のような状況に鑑み、ユーザーが操作することなく、電子番組表にユーザーの放送局に対する嗜好を自動的に反映させることができるようにするものであり、ユーザーがよく視聴する放送局で、どのような番組が放送されているかを容易に確認することが可能な電子番組表を表示することのできるデジタル放送受信装置およびその電子番組表を表示する方法を提供することを目的とする。
【課題を解決するための手段】
【０００６】
本発明は上述した課題を解決するための手段を提供するもので、各発明は、以下の技術手段により構成される。
第１の技術手段は、放送番組のデータと共に提供される各番組に関する番組情報を取得し、編集して電子番組表を表示する機能を有するデジタル放送受信装置であって、番組情報を取得する番組情報取得手段と、取得した番組情報に基づいて電子番組表を表示する表示手段と、ユーザーが選局した選局回数をチャンネルごとに保存する選局回数管理手段と、前記選局回数管理手段に保存されたチャンネルごとの選局回数データに基づいて、電子番組表における放送局の並び順を決定する制御情報を出力する制御手段と、前記番組情報取得手段からの番組情報および前記制御手段からの制御情報に基づいて、電子番組表における各番組を、ユーザーの選局回数が多い放送局ごとの並び順で表示するように前記表示手段を制御する表示制御手段と、を有することを特徴とする。
【０００７】
第２の技術的手段は、第１の技術的手段において、放送局に複数のチャンネルがある場合は、電子番組表における各番組を、放送局単位でユーザーの選局回数が多いチャンネルの並び順で表示することを特徴とする。
【０００８】
第３の技術的手段は、第１又は２技術的手段において、前記選局回数管理手段は、選局されてから次の選局までの時間を計測するタイマー手段を有しており、選局後の視聴時間の長さが所定以上になった場合にのみ選局回数を加算することを特徴とする。
【０００９】
第４の技術的手段は、第１から３のいずれかに記載の技術手段において、前記制御手段は、前回表示したときの選局回数と今回表示したときの選曲回数とを比較する比較手段を有しており、該比較手段による比較の結果、両者の回数に一定の差がない場合、前記並び順は変更させないことを特徴とする。
【００１０】
第５の技術的手段は、放送番組のデータと共に提供される各番組に関する番組情報を取得し、編集して電子番組表を表示する機能を有するデジタル放送受信装置における電子番組表の表示方法であって、ユーザーが選局した選局回数をチャンネルごとに保存する第１のステップと、前記保存されたチャンネルごとの選局回数データに基づいて、電子番組表における放送局の並び順を決定する第２のステップと、電子番組情報および前記第２のステップで決定された情報に基づいて、電子番組表における番組を、ユーザーの選局回数が多い放送局ごとの並び順で表示する第３のステップと、を有することを特徴とするデジタル放送受信装置における電子番組表表示方法。
【００１１】
第６の技術手段は、第５の技術手段において、放送局に複数のチャンネルがある場合、電子番組表における各番組を、放送局単位でユーザーの選局回数が多いチャンネルの並び順で表示することを特徴とする。
【００１２】
第７の技術手段は、第５又は６の技術手段において、ユーザーが選局した選局回数は、選局後の視聴時間の長さが所定以上になった場合にのみ加算することを特徴とする。
【００１３】
第８の技術手段は、第５から７のいずれかの技術手段において、前回表示したときの選局回数と今回表示したときの選局回数とに一定の差がない場合、前記並び順は変更させないことを特徴とする。
【発明の効果】
【００１４】
本発明によれば、放送局から提供される電子番組表をユーザーの嗜好に基づいて自動的にチャンネルを並び替えて表示することが可能になり、これにより、ユーザーにとってより使いやすく、便利な番組情報を表示することが可能になる。
また、本発明は、時間帯によらず、放送局の並びが一定であることから、一覧性を確保したまま、ユーザーにとってより使いやすい電子番組表とすることが可能となる。
【発明を実施するための最良の形態】
【００１５】
本発明によるデジタル放送受信装置とその番組情報の表示方法の実施形態の一例を図１ないし図７に基づいて以下に説明する。
図１は、本発明によるデジタル放送受信装置の実施形態例における構成の一例を示すブロック図で、デジタル放送を受信するデジタル放送受信装置１は、受信アンテナで受信された受信信号が入力される受信部２、各部の制御を司る主制御部３、各放送局に対しユーザーが選局した回数を管理する選局回数管理部４、表示制御部５、選択した番組の放送映像、番組情報などを表示する表示パネル６、リモコン８からの操作信号を受信するリモコン受光部７などを含んで構成される。
また、受信部２は、主制御部３からの制御信号に基づいて選局を行う選局部２１、復調部２２、分離部２３、映像デコーダ２４、音声デコーダ２５、データデコーダ２６などを含んで構成される。
【００１６】
図２は本発明によるデジタル放送受信装置の選局における処理を表すフロー図である。ステップＳ１において、ユーザーにより選局が行われると、ステップＳ２でリモコン８から選局を指示する信号がリモコン受光部７に送信される。ステップＳ３でリモコン受光部７が選局指示の信号を受信すると、ステップＳ４でこれを主制御部３へ受け渡す。ステップＳ５において、主制御部３は選局指示を受け取ると受信部２へ選局を指示する。ステップＳ６で受信部２は選局動作を行い、ステップＳ７でその結果を主制御部３へ通知する。ステップＳ８で主制御部３は選局に成功したかどうかを判定し、選局に成功した場合には、ステップＳ９において選局回数管理部４で管理されている選局回数を更新し、処理を完了する。
【００１７】
図３は本発明による電子番組表の表示における処理を表すフロー図である。ステップＳ１１においてユーザーが電子番組表の表示を指示すると、ステップＳ１２でリモコン８から電子番組表表示指示が与えられる。ステップＳ１３でリモコン受光部７が電子番組表表示の指示を受け取り、ステップＳ１４でこれを主制御部３へ受け渡す。ステップＳ１５で主制御部３は、選局回数管理部４から各チャンネルに対する選局回数を取得する。ステップＳ１６で選局回数に基づいて電子番組表におけるチャンネルの並びを決定し、ステップＳ１７で各チャンネルの番組情報を取得する。全てのチャンネルに対する番組情報を取得するまで、ステップＳ１７、Ｓ１８を繰り返す。全ての番組情報が取得できたら、主制御部３は番組情報の画面データを作成し、ステップＳ１９にて表示制御部に転送し、ステップＳ２０で電子番組表を表示パネル６に表示する。
【００１８】
図４は選局回数管理部４で管理されるデータのイメージを表したもので、ａ欄は各放送、ｂ欄はチャンネル、ｃ欄はチャンネルごとの選局回数、ｄ欄は各放送局に対する選局回数を表しており、デジタル放送の場合、同一の放送局（ａ欄）に対し、複数のチャンネル（ｂ欄）を割り当てることが可能になるため、チャンネルごとに選局回数を集計し（ｃ欄）、それぞれの結果を加算することで各放送局に対する選局回数を集計している（ｄ欄）。また、電子番組表を表示した際の放送局の最新の並び順（ｅ欄）と各放送局内でのチャンネルの並び順（ｆ欄）を保存する。
【００１９】
図５は図４のデータに基づいて表示した電子番組表の例を表したものである。放送局の並びはｄ欄の結果から並び順を決定し、放送局内のチャンネルの並びはｃ欄の結果から並び順を決定する。また、放送局内のチャンネルの並び方は、ｃ欄の結果によらず、一定であってもよい。
【００２０】
図６は主制御部３における、選局回数を更新する処理を表すフロー図である。ステップＳ２１で選局を指示し、選局の結果を得る。ステップＳ２２は選局が成功したかどうかを判定し、成功しなかった場合は処理を終了する。選局に成功した場合は、ステップＳ２３において、選局後、一定の時間が経過しているかどうかを判定する。これは、テレビのチャンネルを順番に変更していくような使用方法の場合、ユーザーの意向にかかわらず、選局回数が更新されてしまうのを防ぐためである。ステップＳ２３において、一定時間が経過していない場合は、ステップＳ２７で次に選局回数を更新する処理を行うためのタイマーを設定し処理を終了する。一定時間が経過している場合は、ステップＳ２４において、選局がユーザーの指示によるものかどうかを判定する。デジタル放送においては、ユーザーの意図によらず選局を行うケースが存在する。そのような場合に選局回数が更新されてしまうのを防ぐために、選局がユーザーの指示によるものかどうかを判定する。ステップＳ２４において、ユーザーの指示による選局ではないと判断された場合には、処理を終了する。ユーザーからの指示による選局であると判断された場合には、ステップＳ２５でチャンネルに対する選局の回数を更新し、ステップＳ２６で放送局に対する選局の回数を更新し、処理を終了する。
【００２１】
図７は主制御部３における、チャンネルの並びを決定する処理を表すフロー図である。ステップＳ３１で選局回数管理部４より選局回数などの情報を取得する。全てのチャンネルの選局回数を取得するまで、ステップＳ３１、Ｓ３２を繰り返す。ステップＳ３３で放送局の並び替えを行い、ステップＳ３４で順番に前回の並び順と今回の並び順を比較してゆく。前回の並び順と今回の並び順が同じであれば、並び順は変えない。並び順が異なった場合、ステップＳ３９、Ｓ４０で次もしくは前の順番の放送局と選局回数を比較し、選局回数に一定回数以上の差があれば、ステップ７１２で放送局の順番を入れ替える。順番を入れ替えた結果、前回の並び順と同じであれば、次の放送局の比較を行い、同じでなければ、さらに次もしくは前の順番の放送局と選局回数の比較を行う。ステップＳ３４からＳ３２の処理を全ての放送局に対して行い、放送局の並びが決定したら、ステップＳ３７で並び順を保存し、処理を終了する。
【００２２】
ここでは、放送局内のチャンネルの並びを一定のものとした並べ替えの方法を述べたが、同じような処理によってチャンネルの並びを選局回数の多い順番に並び替えてもよい。また、放送局の並べ替えを入れ替える場合に、一定回数以上の差があるかどうかを確認しているのは、２つの放送局の選局回数に差がない場合に、電子番組表を表示するたびに、この２つの放送局の順番が入れ替わるという可能性を排除するためである。
【図面の簡単な説明】
【００２３】
【図１】本発明によるデジタル放送受信装置の一実施形態例を示す機能ブロック図である。
【図２】本発明によるデジタル放送受信装置の選局処理を表すフロー図である。
【図３】本発明によるデジタル放送受信装置の電子番組表表示処理を表すフロー図である。
【図４】本発明によるデジタル放送受信装置の選局回数管理部を表す図である。
【図５】本発明によるデジタル放送受信装置によって表示される電子番組表を表す図である。
【図６】本発明によるデジタル放送受信装置の選局回数の更新処理を表すフロー図である。
【図７】本発明によるデジタル放送受信装置の電子番組表のチャンネルの並びを決定する処理を表すフロー図である。
【符号の説明】
【００２４】
１…デジタルテレビ受信装置、２…受信部、３…主制御部、４…選局回数管理部、５…表示制御部、６…表示パネル、７…リモコン受光部、８…リモコン、２１…選局部、２２…復調部、２３…分離部、２４…映像デコーダ、２５…音声デコーダ、２６…データデコーダ。
【図１】
2007184813.tif 000003
【図２】
2007184813.tif 000004
【図３】
2007184813.tif 000005
【図４】
2007184813.tif 000006
【図５】
2007184813.tif 000007
【図６】
2007184813.tif 000008
【図７】
2007184813.tif 000009